(57)【特許請求の範囲】
【請求項１】
リムーバブルなメディアがメディア収容部に挿入されると、挿入されたメディアをドライブ部に搬送するステップと、
上記ドライブ部が上記メディアを再生し、上記ドライブ部が読み取った情報から上記メディアが外部で作成された第１のメディアか、内部で作成された第２のメディアかを判定するステップと、
上記挿入されたメディアが上記第１のメディアであると判定される場合に、上記第１のメディアに記録されている編集リストにしたがって部分的な再生動作を行い、再生されたデータを予め設定されている上位システムに転送するステップと、
上記挿入されたメディアが上記第２のメディアであると判定される場合に、上記第２のメディアを上記データベースに登録するステップと、
上記部分再生動作および上記データベースへの登録処理の一方が終了後に、メディアを上記メディア収容部に戻すステップと
からなるメディア管理方法。
【請求項２】
上記第１のメディアおよび上記第２のメディアは、内部で記録される管理ファイルの有無によって判定される請求項１記載のメディア管理方法。
【請求項３】
上記挿入されたメディアが上記第１のメディアであると判定される場合に、さらに、上記編集リストの有無を判定し、
上記編集リストが無いと判定される場合に、上記第１のメディアが上記メディア収容部に収容されたことを予め設定されている上位システムに対して通知する請求項１記載のメディア管理方法。
【請求項４】
上記メディアには、高解像度の映像データと、低解像度の映像データとが記録され、
上記挿入されたメディアが上記第１のメディアであると判定される場合に、さらに、上記編集リストの有無を判定し、
上記制御部は、上記編集リストが無いと判定される場合に、上記第１のメディアに記録されている上記高解像度の映像データと、低解像度の映像データとの一方を予め設定されている上位システムに対して転送する請求項１記載のメディア管理方法。
【請求項５】
リムーバブルなメディアを収容し、上記メディアを交換可能なメディア収容部と、
上記メディアに対して記録／再生を行うドライブ部と、
上記メディア収容部と上記ドライブ部の間で、メディアを搬送する搬送部と、
上記ドライブ部および上記搬送部をの制御と、上記メディア収容部に収容されるメディアの管理のためのデータベースを作成する制御と、上位システムとの通信を行う制御とを行う制御部とを備え、
上記制御部は、上記メディア収容部にメディアが挿入されると、挿入されたメディアを上記ドライブ部に搬送するように、上記搬送部を制御し、上記ドライブ部が読み取った情報から上記メディアが外部で作成された第１のメディアか、内部で作成された第２のメディアかを判定し、
上記制御部は、上記挿入されたメディアが上記第１のメディアであると判定される場合に、上記第１のメディアに記録されている編集リストにしたがって部分的な再生動作を行い、再生されたデータを予め設定されている上位システムに転送し、
上記制御部は、上記挿入されたメディアが上記第２のメディアであると判定される場合に、上記第２のメディアを上記データベースに登録し、
上記制御部は、上記部分再生動作および上記データベースへの登録処理の一方が終了後に、メディアを上記メディア収容部に戻すように、上記搬送部を制御するストレージ装置。
【発明の詳細な説明】
【技術分野】
【０００１】
この発明は、光ディスク等のリムーバブルなメディアを収納して放送局におけるアーカイブシステムを構成するのに適用されるメディア管理方法およびストレージ装置に関する。
【背景技術】
【０００２】
従来では、大量の放送用の映像、音声情報（以下、素材と適宜称する）を保存するのに、ビデオテープカセットを使用したカートマシンが使用されていた。しかしながら、デジタル化された素材を蓄積し、番組を制作する場合には、ランダムアクセスが可能なメディアが望ましい。その結果、テープカセットに代えて、光ディスク、ハードディスク、半導体メモリ等のメディアが使用される。
【０００３】
図８に示すように、従来のストレージシステムは、ディスクレコーダ２０１と編集器２０２とがデジタルインターフェース例えばＩＥＥＥ(Institute of Electrical and Electronics Engineers)１３９４によって接続された構成とされている。ディスクレコーダ２
０１は、ディスク２０３が装填され、ディスク２０３に対してデータを記録し、ディスク２０３からデータを再生するものである。
【０００４】
ディスク２０３は、カートリッジ内に相変化記録型の光ディスクが配され、シャッターを有するものである。４０５ｎｍの波長のレーザが使用され、単層光ディスクの場合で２３．３ＧＢで、２層光ディスクの場合で５０ＧＢの容量を有する。かかるディスクを記録媒体として使用するカムコーダ（レコーダが一体構成のビデオカメラであり、商品名である）が実用化されている。
【０００５】
ディスク２０３には、圧縮された高解像度映像音声データが記録される。さらに、光ディスク２０３には、日付、時刻、各種コメント等の収録映像の付加情報や、オフライン編集用に活用可能なプロキシＡＶデータ（低ビットレート映像データ）がメタデータとして記録される。
【０００６】
メタデータを記録しているので、高速アクセスが可能となる。また、デジタルビデオ用のインターフェースを介してディスク２０３のデータに対して編集器２０２が直接、アクセスすることができる。ディスク２０３に記録されているデータが図９に示すファイル構造を有する。例えば「C001.XML」は、一つのファイル例えばＸＭＬ(eXtensible Markup Language)形式のファイルを示す。ファイルは、シーン、カット等に対応した高解像度映像音声データであり、クリップと称される。コンテンツ（番組）は、クリップの集合体である。
【０００７】
図１０に示すフローチャートは、従来のストレージシステムの処理の流れを示す。ディスクレコーダ２０１がディスク２０３が挿入されたことを検出する（ステップＳ１）。ディスク挿入を上位の編集器２０２に対して通知する（ステップＳ２）。
【０００８】
ステップＳ３において、編集器２０２からのリクエストの有無が判定される。リクエストがあると判定されると、ステップＳ４において、ディスク２０３が再生され、ディスク２０３からデータが読み込まれ、編集器２０２に対して再生データが転送される。編集器２０２の表示部には、図９に示すようなファイル構造が表示され、編集器２０２の操作者が所望のクリップを指定すると、クリップ情報がレコーダ２０１に対して伝送され、レコーダ２０１が指定されたクリップを再生する。
【０００９】
ステップＳ５は、転送リクエストの有無を判定するもので、クリップを指定することによって転送リクエストが発生する。ステップＳ６において、指定されたクリップが転送されて、一連の処理が終了する。
【００１０】
さらに、ディスクに記録されている映像素材をアーカイブ管理装置に登録する場合に、ディスクに撮影時に記録されたメタデータを利用してグループ分けし、編集装置がグルーブに基づいてアクセスすることが下記の特許文献１に記載されている。
【００１１】
【特許文献１】特開平１０−３３３６８７号公報
【発明の開示】
【発明が解決しようとする課題】
【００１２】
しかしながら、従来のストレージ装置は、上位システム（サーバ）に対して受動的な処理を行うのにとどまっていた。例えば図１０のフローチャートにおけるステップＳ２において、ディスクが挿入された場合に、レコーダ２０１は、挿入されたディスクのＩＤ等を上位システムに対して通知するのみであった。グループ分けを行う特許文献１に記載のものでも、アクセスの効率化が達成できるとしても、上位システムがアーカイブシステムに蓄積されている情報に対してアクセスするものであり、アーカイブシステムが上位システムに対して受動的な処理を行うものであった。
【００１３】
このため、上位システムがストレージ装置に対するアクセスを制御するために、処理の高速化、処理の効率の向上が充分になされない問題があった。
【００１４】
したがって、この発明の目的は、上述した従来の問題点を解決することができるメディア管理方法およびストレージ装置を提供することにある。
【課題を解決するための手段】
【００１５】
上述した課題を解決するために、この発明は、リムーバブルなメディアがメディア収容部に挿入されると、挿入されたメディアをドライブ部に搬送するステップと、
ドライブ部がメディアを再生し、ドライブ部が読み取った情報からメディアが外部で作成された第１のメディアか、内部で作成された第２のメディアかを判定するステップと、
挿入されたメディアが第１のメディアであると判定される場合に、第１のメディアに記録されている編集リストにしたがって部分的な再生動作を行い、再生されたデータを予め設定されている上位システムに転送するステップと、
挿入されたメディアが第２のメディアであると判定される場合に、第２のメディアをデータベースに登録するステップと、
部分再生動作およびデータベースへの登録処理の一方が終了後に、メディアをメディア収容部に戻すステップと
からなるメディア管理方法である。
【００１６】
第１のメディアおよび第２のメディアは、内部で記録される管理ファイルの有無によって判定される。
【００１７】
挿入されたメディアが第１のメディアであると判定される場合に、さらに、編集リストの有無を判定し、
編集リストが無いと判定される場合に、第１のメディアがメディア収容部に収容されたことを予め設定されている上位システムに対して通知する。
【００１８】
メディアには、高解像度の映像データと、低解像度の映像データとが記録され、
挿入されたメディアが第１のメディアであると判定される場合に、さらに、編集リストの有無を判定し、
制御部は、編集リストが無いと判定される場合に、第１のメディアに記録されている高解像度の映像データと、低解像度の映像データとの一方を予め設定されている上位システムに対して転送する。
【００１９】
この発明は、リムーバブルなメディアを収容し、メディアを交換可能なメディア収容部と、
メディアに対して記録／再生を行うドライブ部と、
メディア収容部とドライブ部の間で、メディアを搬送する搬送部と、
ドライブ部および搬送部の制御と、メディア収容部に収容されるメディアの管理のためのデータベースを作成する制御と、上位システムとの通信を行う制御とを行う制御部とを備え、
制御部は、メディア収容部にメディアが挿入されると、挿入されたメディアをドライブ部に搬送するように、搬送部を制御し、ドライブ部が読み取った情報からメディアが外部で作成された第１のメディアか、内部で作成された第２のメディアかを判定し、
制御部は、挿入されたメディアが第１のメディアであると判定される場合に、第１のメディアに記録されている編集リストにしたがって部分的な再生動作を行い、再生されたデータを予め設定されている上位システムに転送し、
制御部は、挿入されたメディアが第２のメディアであると判定される場合に、第２のメディアをデータベースに登録し、
制御部は、部分再生動作およびデータベースへの登録処理の一方が終了後に、メディアをメディア収容部に戻すように、搬送部を制御するストレージ装置である。
【発明の効果】
【００２０】
この発明によれば、ストレージ装置の外部例えばレコーダが一体構成のビデオカメラの撮像データが収録されたメディアの場合には、メディアが挿入されると、自動的に部分再生動作がなされ、再生されたデータが予め指定された上位システムに対して転送される。
【発明を実施するための最良の形態】
【００２１】
以下、この発明の実施の形態について図面を参照しながら説明する。なお、以下に説明する実施の形態は、この発明の好適な具体例であり、技術的に好ましい種々の限定が付されているが、この発明の範囲は、以下の説明において、特にこの発明を限定する旨の記載がない限り、実施の形態に限定されないものとする。
【００２２】
この発明の一実施の形態について説明する。この発明の一実施の形態によるメディア管理方法は、図６のフローチャートに記載されている。すなわち、リムーバブルなメディア例えばディスクがディスク収容部に挿入されると、挿入されたディスクをドライブ部に搬送するステップＳ１１と、
ドライブ部がディスクを再生し、ドライブ部が読み取った情報からメディアが外部で作成された第１のディスク（オートインジェスションディスク）か、内部で作成された第２のディスク（アーカイブディスク）かを判定するステップＳ１５，Ｓ１８と、
挿入されたディスクがオートインジェスションディスクであると判定される場合に、オートインジェスションディスクに記録されている編集リスト（ＳＭＩファイル）にしたがって部分的な再生動作を行い、再生されたデータを予め設定されている上位システムに転送するステップＳ２４と、
挿入されたディスクがアーカイブディスクであると判定される場合に、アーカイブディスクをデータベースに登録するステップＳ１６と、
部分再生動作およびデータベースへの登録処理の一方が終了後に、ディスクをディスク収容部に戻すステップＳ１７と
からなるメディア管理方法である。
【００２３】
この発明の一実施の形態について説明する。この発明の一実施の形態によるストレージ装置は、図１、図２および図３に記載され、図６のフローチャートに記載されている。すなわち、リムーバブルなメディア例えばディスクを収容し、ディスクを交換可能なディスク収容部１０３と、
ディスクに対して記録／再生を行うドライブ部１０６と、
ディスク収容部１０３とドライブ部１０６の間で、ディスクを搬送する搬送部１０５と、
ドライブ部１０６および搬送部１０５の制御と、ディスク収容部１０３に収容されるディスクの管理のためのデータベースを作成する制御と、上位システム１２１，１２２との通信を行う制御とを行う制御部１１１，１１２とを備え、
制御部１１１，１１２は、ディスク収容部１０３にディスクが挿入されると、挿入されたディスクをドライブ部１０６に搬送するように、搬送部１０５を制御し、ドライブ部１０６が読み取った情報からディスクが外部で作成された第１のディスク（オートインジェスションディスク）か、内部で作成された第２のディスク（アーカイブディスク）かを判定し（ステップＳ１５，Ｓ１８）、
制御部１１１，１１２は、挿入されたディスクがオートインジェスションディスクであると判定される場合に、オートインジェスションディスクに記録されている編集リスト（ＳＭＩファイル）にしたがって部分的な再生動作を行い、再生されたデータを予め設定されている上位システム１２１，１２２に転送し（ステップＳ２４）、
制御部１１１，１１２は、挿入されたディスクがアーカイブディスクであると判定される場合に、アーカイブディスクをデータベースに登録し（ステップＳ１６）、
制御部１１１，１１２は、部分再生動作およびデータベースへの登録処理の一方が終了後に、ディスクをディスク収容部に戻すように、搬送部を制御する（ステップＳ１７）ストレージ装置である。
【００２４】
以下の説明において使用するいくつかの用語の定義について以下に示す。
ＮＬＥ(Non Linear Editing)：ノンリニア編集とは、ビデオテープを使用しないで、パーソナルコンピュータやワークステーションのハードディスク上でデジタルビデオ編集を行うことである。
クリップ：ファイルは、シーン、カット等に対応した高解像度映像音声データであり、クリップと称される。コンテンツ（番組）は、クリップの集合体である。
ｆｔｐサーバ：ｆｔｐを使用してファイルの送受信を行うサーバのことである。
ｆｔｐ（File Transfer Protocol）：ｆｔｐは、ネットワークでファイルの転送を行うための通信規約（プロトコル）である。
ＭＸＦ(Material eXchange Format)：Pro-MPEGフォーラムにより標準化中のイーサネット（登録商標）を接続フォーマットとした標準ファイルフォーマット。ＭＸＦは、圧縮方式や信号フォーマットに依存しないファイル交換フォーマットであるため、インターネット、ＬＡＮ等のストリーミング可能な環境にファイルを転送することによって、ストリーミング機能を実現できる。また、ＡＶコンテンツ以外にその内容・種類・撮影場所・撮影機材等のメタデータを一体化して送ることも可能である。
【００２５】
アーカイブディスク：ストレージ装置に記録蓄積し、管理されるディスク。
オートインジェスションディスク：ストレージ装置外で記録され、その記録情報を自動的にシステムに取り込む目的を有するディスク。
ディスク管理ファイル：ストレージ装置内で使用する管理データ。例えば記録日時、データ容量、最後のアクセスの日時、ＡＶデータのフォーマット等を記述する。ディスク管理データは、ストレージ装置内で記録されるものであり、ディスク管理データの有無によって、アーカイブディスクとオートインジェスションディスクとを判別することができる。
ＳＭＩファイル：ＳＭＩＬ(Synchronized Multimedia Integration Language)で書かれたテキストファイルのことである。ＳＭＩＬは、ＸＭＬで作られたマルチメディア記述用の言語である。時間に関するコントロール等を目的としたものである。ＳＭＩＬを実行するには、ＳＭＩＬを再生することができるソフトウェア（Real Player（商品名）等）がイ
ンストールされていることが必要とされる。
【００２６】
Discs.ＳＴＳ：外部からストレージ装置に対して、オートインジェスションディスクが挿入されたことを上位システムに対して通知するためのファイルである。
設定ファイル：ストレージ装置の設定ファイル。
High Resファイル：High Resolutionファイル。オリジナルの高解像度音声画像ファイル
。
Proxy ファイル：Low Resolutionファイル。High Resファイルを圧縮した低解像度ファイル。データ容量が小さいので、転送時間を短くできる。先にProxy ファイルを取り込んで編集情報を作成する場合に使用されたり、動画検索に使用される。
Partial Retrieve：部分ファイルの転送。High Resファイルの必要な部分を指定して、その部分だけをディスクから読み出すことができる。ｆｔｐの転送機能である。
ｆｔｐで転送：設定ファイルにしたがって、指定されたネットワーク上のサーバのディスクエリアにコンテンツを転送する。
【００２７】
図１に示すように、この発明の一実施の形態におけるストレージ装置（ディスクカートシステム、またはディスクチェンジャーとも称される）１００は、箱型のケース１０１の一面に開閉自在に扉１０２が設けられている。ケース１０１内に、例えば２０枚のディスクを各収納部に収納可能なディスク収納棚１０３と、ディスクに対する記録／再生を行うドライブブロックと、ディスクを搬送する搬送ブロックと、電源、制御部（コンピュータ等）が収納された電気ブロック等が配置されている。
【００２８】
ストレージ装置１００は、ディスク、カード状の半導体メモリ等のリムーバブルなメディアを扱うものである。一実施の形態では、ディスクが使用される。ディスクは、カートリッジ内に相変化記録型の光ディスクが配され、シャッターを有するものである。４０５ｎｍの波長のレーザが使用され、単層光ディスクの場合で２３．３ＧＢで、２層光ディスクの場合で５０ＧＢの容量を有する。
【００２９】
かかるディスクを記録媒体として使用するカムコーダ（レコーダが一体構成のビデオカメラであり、商品名である）が実用化されている。さらに、カムコーダとＩＥＥＥ１３９４で接続される携帯型のレコーダも実用化されている。このレコーダは、ディスク内の素材の簡易カット編集が可能で、編集結果（スタート位置と長さとを規定する簡易編集リスト）をＳＭＩファイルとしてディスクに保存する機能を有している。さらに、ディスクのカートリッジ表面にバーコードラベルが貼られ、バーコードが表すディスクＩＤによるディスクの管理が可能とされている。
【００３０】
ディスクには、圧縮された高解像度映像音声データ（High Resファイル）が記録される。さらに、光ディスク２０３には、日付、時刻、各種コメント等の収録映像の付加情報や、オフライン編集用に活用可能なProxy ファイル（低解像度ファイル）がメタデータとして記録される。
【００３１】
図２を参照してストレージ装置１００の動作の概略について説明する。図２Ａにおいて矢印Ａで示すように、ディスク収納棚１０３が水平方向に移動可能とされ、ディスク収納棚１０３が扉１０２側（フロント側）に位置する状態と、後退して図２Ｂに示すように、電気ブロック１０４の近傍のバック側に位置する状態とをとりうる。
【００３２】
搬送ブロック１０５は、矢印Ｂで示すように、昇降可能とされ、図２Ａに示すように、ドライブブロック１０６の近傍に位置する下側の状態と、図２Ｂに示すように、上昇して後退したディスク収納棚１０３のフロント側に位置する上側の状態とをとりうる。
【００３３】
通常時、搬送ブロック１０５が上下に動作しないで停止しているときは、ドライブブロック１０６が記録／再生動作中を含めて、ディスク収納棚１０３が図２Ａに示すように、扉１０２の裏側（前方オペレータ側）に位置する。扉１０２を開閉して、ディスク収納棚１０３に対してディスクを交換することができる。搬送ブロック１０５がドライブブロック１０６の前で待機している。
【００３４】
アプリケーションソフトウェアからの指示によって、ディスク収納棚１０３の所定の棚（ビン番号で特定される）からディスクをドライブブロック１０６に搬送する時には、ディスク収納棚１０３がオペレータ側位置から図２Ｂに示す後方位置に移動する。搬送ブロック１０５がドライブブロック１０６の前の位置から図２Ｂに示すように、ディスク収納棚１０３の前の位置に移動される。そして、上位から指定されたディスクをディスク収納棚１０３から取込む。次に、搬送ブロック１０５が下降し、ドライブブロック１０６の前の位置に移動させる。ディスクを搬送ブロック１０５からドライブブロック１０６に挿入する。
【００３５】
ドライブブロック１０６において、記録あるいは再生が終了したディスクをディスク収納棚１０３の所定の棚に搬送する場合には、ディスク収納棚１０３を後方位置に移動させる。ドライブブロック１０６から排出されたディスクを搬送ブロック１０５が取込み、搬送ブロック１０５が上昇してディスク収納棚１０３の前の位置へ移動される（図２Ｂ参照）。そして、ディスクを搬送ブロック１０５からディスク収納棚１０３の所定の棚へ挿入する。搬送ブロック１０５を下降させてドライブブロック１０６の前の位置に移動させる。ディスク収納棚１０３をオペレータ側に移動させる。
【００３６】
図３に示すように、電気ブロック１０４内には、アプリケーション用コンピュータ１１１、コントローラ（コンピュータ）１１２およびハードディスク１１３が含まれている。ハードディスク１３には、ストレージ装置１００に収納されているディスクの属性情報、フォーマット情報等のデータベースが記憶される。
【００３７】
アプリケーション用コンピュータ１１１は、上位の編集器（ＮＬＥ）１２１およびＡＶ(Audio Visual）サーバ１２２とＬＡＮ(Local Area Network)例えばギガビットイーサネ
ット（登録商標）１２３でもって接続されている。アプリケーション用コンピュータ１１１には、予めインターフェース用のソフトウェアがインストールされ、ネットワーク上の他の機器とファイル形式（例えばＭＸＦ形式）でのデータのやりとりが可能とされている。
【００３８】
編集器１２１は、ストレージ装置１００からの素材を使用して編集を行う。ＡＶサーバ１２２は、ストレージ装置１００からの素材を受け取って送出用の素材を生成するものである。図示しないが、上位システムとして、これらの他に、コンテンツサーバ、アーカイブ（大容量のストレージ）等を接続しても良い。
【００３９】
上位システムからは、ストレージ装置１００がｆｔｐサーバとして見える。図４に示すように、ディスクストレージ装置１００のファイルシステムを上位システムが把握することができる。
【００４０】
コントローラ１１２は、上述したようなストレージ装置の機構（ディスク収納棚１０３および搬送ブロック１０５）を駆動するモータ、ソレノイド等の等の駆動部１１４の動きを制御し、また、ドライブブロック１０６の記録／再生動作を制御する。コントローラ１１２に対してドライブブロック１０６および駆動部１１４が接続される。ドライブブロック１０６により記録／再生されるデータは、ＬＡＮ１２３を介して伝送される。
【００４１】
実際の放送局では、図５に示すように、複数のストレージ装置１００Ａ，１００Ｂ，１００Ｃ，１００Ｄ，１００Ｅと、２台の編集器１２１Ａ，１２１Ｂと、コンテンツサーバ１２４とがＬＡＮ１２３を介して接続されるように、より複雑な構成が使用される。予め各ストレージ装置に対してユーザが設定を行うことによって、各ストレージ装置と上位システムとの接続関係が図５に示すように、規定される。
【００４２】
すなわち、ストレージ装置１００Ａおよび１００Ｅから編集器１２１Ｂのハードディスク１２５Ｂに対してデータが転送される。ストレージ装置１００Ｂおよび１００Ｄからのデータがコンテンツサーバ１２４のハードディスク１２６に対して転送される。ストレージ装置１００Ｃからのデータが編集器１２１Ａのハードディスク１２５Ａに対して転送される。
【００４３】
このように、複数のストレージ装置と、複数の上位装置とが接続されている場合でも、後述するように、複数のストレージ装置が並列的に動作することによって、各ストレージ装置の再生したデータが目的のサーバ（ハードディスク）に対して自動的に転送することができる。
【００４４】
図６を参照してこの発明の一実施の形態の動作について説明する。この動作は、アプリケーション用コンピュータ１１１およびコントローラ１１２の制御によりなされる。
【００４５】
ステップＳ１１において、扉が開けられ、ディスク収納棚の棚（ビン）にディスクが挿入され、扉を閉められる。ステップＳ１２において、挿入されたディスクのカートリッジに付されているバーコードが読み取られる。バーコードが当該ディスクのディスクＩＤを表す。ディスクＩＤは、バーコード以外にディスク上にデータとして記録される。
【００４６】
ステップＳ１３において、ディスク収納棚および搬送ブロックが上述したような動作を行い、挿入されたディスクが搬送ブロックによってドライブブロックに搬送され、ドライブブロックに装填される。ステップＳ１４において、ドライブブロックが装填されたディスクの管理ファイルや、メタデータが読まれる。
【００４７】
ステップＳ１５において、ストレージ装置内で使用する管理データであるディスク管理ファイルの有無が判定される。ディスク管理ファイルがあると判定されると、このディスクの属性は、ストレージ装置内で記録がなされ、ストレージ装置内で管理されるアーカイブディスクと判定される。ステップＳ１６において、アーカイブディスクとしてデータベースに登録される。そして、ステップＳ１７におい、ディスクがディスク収納棚の元のビンに戻される。
【００４８】
上述したように、ディスク収納棚が後方位置に移動し、ドライブブロックから排出されたディスクを搬送ブロックが取込み、搬送ブロックが上昇してディスク収納棚の前の位置へ移動し、ディスクを搬送ブロックからディスクがディスク収納棚へ戻される。その後、搬送ブロックが下降してドライブブロックの前の位置に移動される。ディスク収納棚がオペレータ側に移動される。
【００４９】
ステップＳ１５において、ディスク管理ファイルが無いと判定されると、ステップＳ１８において、当該ディスクの属性がオートインジェスションディスクと認識される。オートインジェスションディスクは、ストレージ装置外例えばカムコーダによって記録され、その記録情報を自動的にシステムに取り込む目的を有するディスクである。
【００５０】
ステップＳ１９において、ＳＭＩファイルの有無が判定される。ＳＭＩファイルは、カムコーダとＩＥＥＥ１３９４で接続される携帯型のレコーダを使用してなされた編集結果（スタート位置と長さとを規定する簡易編集リスト）の情報である。ステップＳ１９において、ＳＭＩファイルが無いと判定されると、ステップＳ２０において、設定ファイルの設定が調べられ、設定にしたがって処理がなされる。設定ファイルは、予めユーザがメニュー画面を開いて設定するものである。一例として、３通りの設定が可能とされている。
【００５１】
第１の設定がなされている場合には、ステップＳ２１の処理がなされる。すなわち、Discs.ＳＴＳをストレージ装置から上位システムに対して転送することによって、外部からオートインジェスションディスクが挿入されたことが設定されている上位システム（サーバ）に対して通知される。通知のみの処理である。
【００５２】
第２の設定がなされている場合には、ステップＳ２２の処理がなされる。すなわち、High Resファイルを圧縮した低解像度ファイルのProxy ファイルがｆｔｐによって、設定されている上位システム（サーバ）に対して転送される。例えばProxy ファイルを受け取った上位システムの編集器は、編集作業を行い、編集情報を作成する。作成した編集情報にしたがって、ストレージ装置が部分再生を行うようにストレージ装置が制御され、部分再生によって、本編集のために必要な部分のＭＸＦファイルが取得される。
【００５３】
第３の設定がなされている場合には、ステップＳ２３の処理がなされる。すなわち、High Resファイル（ＭＸＦファイル）がｆｔｐで設定されている上位システム（サーバ）に対して転送される。Proxy ファイルを使用した編集を行わずに、直ぐにＭＸＦファイルを取り入れるようなシステムに対して設定される。
【００５４】
ＳＭＩファイルがあるとステップＳ１９において判定されると、ステップＳ２４において、ＳＭＩファイル（簡易編集リスト）にしたがって、開始位置から指定された期間の部分再生がなされる。部分再生データは、設定されている上位システム（サーバ）に対して転送される。
【００５５】
ストレージ装置にディスクを挿入する前にフィールドでＳＭＩファイルを作成するような場合に有効である。部分再生動作（オートインジェスション）は、転送のトラフィックを減少させ、作業時間を短縮でき、不必要なファイルを収納しない点で、ストレージ装置および上位システムのサーバのハードディスクの効率や処理効率が最も良い。
【００５６】
上述したように、この発明においては、メディアのメタデータを取込み、そのメタデータによって、最適な分散処理を行うことができる。機能が分散され、オブジェクト化するので、全体のシステムがシンプルとなり、品質も向上する。分散した処理をローカルで最適化することができるので、より処理や反応が速くなる。
【００５７】
ユーザがメニュー画面を表示してマウス等のデバイスを操作し、図７に示すように、アプリケーション用コンピュータ１１１の設定ファイルが作成される。設定ファイルには、上述したような４通りの処理（モード）が規定されている。すなわち、通知のみの処理（ステップＳ２１）、Proxy ファイルの転送処理（ステップＳ２２）、High Resファイル（ＭＸＦファイル）の転送処理（ステップＳ２３）、部分再生処理（ステップＳ２４）がそれぞれ＃０，＃１，＃２，＃３として規定されている。＃は、コメントを意味する。図示の例では、この中の＃３（部分再生）が設定されている。さらに、転送先の上位のシステムのＩＰアドレス、パスが記述されている。
【００５８】
この設定ファイルによって、ディスクがストレージ装置に挿入された場合の動作と、ディスク中のデータの転送先とが規定される。
【００５９】
この発明は、上述の実施の形態に限定されるものではなく、この発明の技術的思想に基づく各種の変形が可能である。例えばディスクの属性は、管理ファイルの有無以外に、メタデータ等によって判定しても良い。また、編集リストの情報は、ＳＭＩＬ以外の形式で記述しても良い。
【図面の簡単な説明】
【００６０】
【図１】この発明の一実施の形態の外観を示す斜視図である。
【図２】この発明の一実施の形態の機構部の動作を示す略線図である。
【図３】この発明の一実施の形態における電気ブロックの部分のブロック図である。
【図４】この発明の一実施の形態におけるファイルシステムの説明に用いる略線図である。
【図５】この発明によるストレージ装置の運用例を示す略線図である。
【図６】この発明一実施の形態の処理の流れを示すフローチャートである。
【図７】この発明の一実施の形態における設定ファイルの一例を示す略線図である。
【図８】従来のストレージ装置の一例のブロック図である。
【図９】従来のストレージ装置の説明に用いる略線図である。
【図１０】従来のストレージ装置の処理の流れを示すフローチャートである。
【符号の説明】
【００６１】
１００・・・ストレージ装置
１０２・・・扉
１０３・・・ディスク収納棚
１０５・・・搬送ブロック
１０６・・・ドライブブロック
１１１・・・アプリケーション用コンピュータ
１１２・・・コントローラ
１２１・・・編集器
１２２・・・ＡＶサーバ
【図１】
0004483971.tif 000002
【図２】
0004483971.tif 000003
【図３】
0004483971.tif 000004
【図４】
0004483971.tif 000005
【図５】
0004483971.tif 000006
【図６】
0004483971.tif 000007
【図７】
0004483971.tif 000008
【図８】
0004483971.tif 000009
【図９】
0004483971.tif 000010
【図１０】
0004483971.tif 000011